(57)【要約】【課題】光源部及びこれを保持するベース部を備えた照明装置において、光源部をベース部から容易に取り外すことができるようにする。【解決手段】照明装置１は、光源部２と、光源部２を保持するベース部３と、を備える。光源部２は、平板状の発光パネル２１と、発光パネル２１を収容するモジュールケース２２と、モジュールケース２２の両縁部に設けられてベース部３と係合する少なくとも一対の係合爪と、を有する。ベース部３は、その両縁部に沿ってレール状に配された一対の保持枠３３，３４を有し、係合爪の一方は、保持枠３４に向けて付勢された状態でスライド可能とされた可動爪２４とされる。保持枠３４は、可動爪２４と対向する箇所に、スライド可能とされた可動保持部４を有し、可動保持部４が移動されたときに可動爪２４の保持が解除される。【選択図】図８
2014110134.tif 000002
【特許請求の範囲】
【請求項１】
光源部と、前記光源部を保持し、かつ該光源部に給電する給電部を有したベース部と、を備えた照明装置であって、
前記光源部は、平板状の発光パネルと、前記発光パネルを収容するモジュールケースと、前記モジュールケースの前記ベース部への装着面の両縁部に設けられて前記ベース部と係合する少なくとも一対の係合爪と、を有し、
前記ベース部は、その両縁部に沿ってレール状に配されて前記係合爪を保持する一対の保持枠を有し、
前記係合爪の一方は、前記保持枠に向けて付勢された状態でスライド可能とされた可動爪であり、
前記保持枠の一方は、前記可動爪と対向する箇所に、前記可動爪と離間する方向にスライド可能とされた可動保持部を有し、前記可動保持部が移動されたときに前記可動爪の保持が解除されることを特徴とする照明装置。
【請求項２】
前記可動保持部は、前記保持枠と平行な方向にスライド可動に設けられていることを特徴とする請求項1に記載の照明装置。
【請求項３】
前記可動保持部は、前記保持枠と直交する方向にスライド可動に設けられていることを特徴とする請求項1に記載の照明装置。
【請求項４】
前記可動保持部は、前記可動爪と対向する箇所に向けて付勢されていることを特徴とする請求項１乃至請求項３に記載の照明装置。
【請求項５】
前記可動爪は、複数個設けられ、
前記可動保持部は、前記可動爪の各々に対向するように複数個設けられ、
前記可動保持部の各々が連動する構成とされていることを特徴とする請求項１又は請求項２に記載の照明装置。
【発明の詳細な説明】
【技術分野】
【０００１】
本発明は、有機ＥＬ素子を光源とする照明装置に関する。
【背景技術】
【０００２】
有機ＥＬ素子は、低電圧で高輝度の発光が可能であり、含有する有機化合物の種類によって様々な発光色が得られ、かつ平板状の発光パネルとしての製造が容易である。そのため、近年、有機ＥＬ素子を照明装置の光源として用いることが注目されている。
【０００３】
この種のものとして、有機ＥＬ素子を光源とする平板形状の光源部と、光源部に給電しかつこの光源部を支持する基板（ベース部）と、を備えた照明装置がある（例えば、特許文献１参照）。この照明装置によれば、ベース部には、光源部と対向する面に給電部が複数設けられているので、このベース部に複数の光源部をマトリックス状に配置することにより、大型の面状発光体を得ることができる。
【先行技術文献】
【特許文献】
【０００４】
【特許文献１】特開２０１２−１０４５０４号公報
【発明の概要】
【発明が解決しようとする課題】
【０００５】
しかしながら、有機ＥＬ素子には所定の発光寿命があり、この有機ＥＬ素子が組み込まれた光源部を所定期間毎に取り替える必要がある。ところが、上記特許文献１に記載の照明装置は、光源部の着脱が想定されていない。そのため、例えば、複数の光源部がマトリックス状に隣接して配されたとき、それら光源部間の隙間にユーザの指や工具を差し込むことができず、ベース部から光源部を取り外すことが容易でない。
【０００６】
本発明は、上記課題を解決するものであって、光源部を、この光源部を保持するベース部から容易に取り外すことができる照明装置を提供することを目的とする。
【課題を解決するための手段】
【０００７】
本発明の照明装置は、光源部と、前記光源部を保持し、かつ該光源部に給電する給電部を有したベース部と、を備えた照明装置であって、前記光源部は、平板状の発光パネルと、前記発光パネルを収容するモジュールケースと、前記モジュールケースの前記ベース部への装着面の両縁部に設けられて前記ベース部と係合する少なくとも一対の係合爪と、を有し、前記ベース部は、その両縁部に沿ってレール状に配されて前記係合爪を保持する一対の保持枠を有し、前記係合爪の一方は、前記保持枠に向けて付勢された状態でスライド可能とされた可動爪であり、前記保持枠の一方は、前記可動爪と対向する箇所に、前記可動爪と離間する方向にスライド可能とされた可動保持部を有し、前記可動保持部が移動されたときに前記可動爪の保持が解除されることを特徴とする。
【０００８】
上記照明装置において、前記可動保持部は、前記保持枠と平行な方向にスライド可動に設けられていることが好ましい。
【０００９】
上記照明装置において、前記可動保持部は、前記保持枠と直交する方向にスライド可動に設けられていることが好ましい。
【００１０】
上記照明装置において、前記可動保持部は、前記可動爪と対向する箇所に向けて付勢されていることが好ましい。
【００１１】
上記照明装置において、前記可動爪は、複数個設けられ、前記可動保持部は、前記可動爪の各々に対向するように複数個設けられ、前記可動保持部の各々が連動する構成とされていることが好ましい。
【発明の効果】
【００１２】
本発明によれば、可動保持部をスライド移動させることで、光源部の可動爪とベース部の可動保持部との間における保持が解除されるので、光源部をベース部から容易に取り外すことができる。
【図面の簡単な説明】
【００１３】
【図１】（ａ）は本発明の第１の実施形態に係る照明装置の分解斜視図、（ｂ）同照明装置の光源部とベース部に保持させた構成を示す斜視図。
【図２】（ａ）（ｂ）は、同照明装置を構成する光源部のバリエーションを示す斜視図。
【図３】同照明装置の斜視図。
【図４】同照明装置の回路図。
【図５】（ａ）は同照明装置のベース部に用いられる可動保持部のスライド部及びレール部を示す分解斜視図、（ｂ）は同可動保持部のスライド部をレール部に取り付けた構成を示す斜視図。
【図６】（ａ）乃至（ｅ）は、上記可動保持部と光源部の可動爪との動作を示す上面図。
【図７】（ａ）（ｂ）は、上記可動保持部と光源部の可動爪との動作の前後状態を示す斜視図。
【図８】上記照明装置の光源部をベース部から取り外した状態を示す斜視図。
【図９】（ａ）は本発明の第２の実施形態に係る照明装置の分解斜視図、（ｂ）は同照明装置の光源部とベース部に保持させた構成を示す斜視図、（ｃ）は同ベース部に用いられる可動保持部の斜視図。
【図１０】（ａ）（ｂ）は、同照明装置のベース部に用いられる可動保持部と光源部の可動爪との動作を示す斜視図。
【図１１】本発明の第３の実施形態に係る照明装置の分解斜視図。
【図１２】（ａ）乃至（ｃ）は、同照明装置のベース部に用いられる可動保持部と光源部の可動爪との動作を示す斜視図。
【図１３】（ａ）は上記可動保持部の付勢機構を示す斜視図、（ｂ）は同付勢機構の背面図、（ｃ）は他の付勢機構を示す斜視図、（ｄ）は同付勢機構の背面図。
【図１４】（ａ）乃至（ｃ）は、上記ベース部が複数連結されたときの上記可動保持部の動作を示す側面図。
【発明を実施するための形態】
【００１４】
本発明の第１の実施形態に係る照明装置について、図１乃至図８を参照して説明する。図１（ａ）（ｂ）に示すように、本実施形態に係る照明装置１は、光源部２と、この光源部２に給電し、かつ光源部２を保持するベース部３と、を備える。ベース部３は、一方の面を取付面とし、この取付面を介して天井や壁等に取り付けられる。ベース部３は、好ましくは長尺形状とされ、その長辺の長さが光源部２の縁部の長さよりも長く、複数の光源部２を保持することができる。
【００１５】
光源部２は、平板状の発光パネル２１と、発光パネル２１を収容するモジュールケース２２と、を有する。また、光源部２は、ベース部３と対向するモジュールケース２２の装着面２Ａの両縁部に設けられて、モジュールケース２２をベース部３と係合する一対の係合爪２３、及び可動な係合爪２４（以下、可動爪という）を有する。ベース部３は、平板状の平面部３１と、光源部２に給電するための給電部３２と、平面部３１の両縁部に沿ってレール状に配されて光源部２の係合爪２３及び可動爪２４を夫々保持する一対の保持枠３３、３４を有する。
【００１６】
モジュールケース２２は、ベース部３への装着面２Ａと反対側に開口面２２ａを有する箱形状とされ、その内部空間に発光パネル２１が収容される。発光パネル２１の非発光面側には配線基板（不図示）が配される。この配線基板は、給電端子２５と接続された配線回路（不図示）と、発光パネル２１の外縁に延設された補助電極と上記配線回路とをワイヤ等を介して接続するためのランド部（不図示）と、を有し、発光パネル２１と共にモジュールケース２２内に収容される。
【００１７】
発光パネル２１は、有機ＥＬ素子を光源として、その発光面側から順に、透光性基板と、発光部と、発光部を封止する封止缶と、を有する（不図示）。発光部は、例えば、透光性基板側から順に、透明導電膜から成る正電極と、発光性有機材料を含む発光層と、光反射性を有する負電極と、を有する。封止缶は、発光部を外気、特に、水分及び酸素から隔離して発光部の劣化を防ぐ。なお、光源部２の光源は、有機ＥＬ素子に限られず、例えば、ＬＥＤ及びこのＬＥＤからの光を導光及び拡散する導光板から成る平面発光体が用いられてもよい。
【００１８】
上記係合爪２３は、モジュールケース２２に固定されてスライドしない。可動爪２４は、保持枠３４に向けて付勢された状態でスライド可能とされている。また、光源部２は、夫々の装着面２Ａから立設された一対の給電端子２５を有する。一対の給電端子２５は、係合爪２３及び可動爪２４を結ぶ直線上に配されている。これらの給電端子２５は、配線基板及びワイヤ等を介して発光パネル２１と電気的に接続されている。また、発光パネル２１の発光面側を覆うように透光性カバー２６が設けられる。透光性カバー２６は、上記開口面２２ａに嵌り込む形状に形成され、モジュールケース２２の内側面に係合される複数の係合爪（不図示）を有する。モジュールケース２２の側面２２ａは、係合爪２３及び可動爪２４の近傍に、後述する工具を差し込むための凹部２２ｂが形成される。
【００１９】
可動爪２４は、保持枠３４に係合する爪部２４ａと、爪部２４ａの両側部を一定範囲でスライド可能に支持する一対の支持部２４ｂと、一対の支持部２４ｂを接続しかつ可動爪２４をモジュールケース２２に固定する固定部２４ｃと、を有する。固定部２４ｃと爪部２４ａとの間にはバネ２４ｄが配され、このバネ２４ｄにより爪部２４ａが保持枠３４の方向に付勢される。爪部２４ａの保持枠３４側の端部は、上面視において先細り形状に形成されている。
【００２０】
ベース部３において、係合爪２３が係合する保持枠３３は、長手方向に直交する側面が、平面部３１に対して立設され、更にその先端が内向きに凸なＶ字状となるように屈曲形成されている。そのため、平面部３１に対する立設部が、Ｖ字状部に対して凹んだ形状となり、凹んだ縁部の一方が、光源部２の係合爪２３と係合する。
【００２１】
また、ベース部３において、光源部２の可動爪２４が設けられた縁部と対向する保持枠３４は、可動爪２４と対向する箇所が切り欠かれ、この箇所に、可動爪２４と離間する方向にスライド可能とされた可動保持部４を有する。給電部３２は、平面部３１の中央にベース部３の長手方向に沿って配置され、一対の給電端子２５と夫々接続される一対の導電部材３２ａと、これらの導電部材３２ａを保護すると共に光源部２の給電端子２５が差し込まれるレール３２ｂと、を有する。
【００２２】
図２（ａ）（ｂ）に示すように、光源部２には、互いに大きさの異なる複数の形状のものが採用され得る。図２（ｂ）に示す光源部２は、図２（ａ）に示す光源部２の発光面の大きさが４倍である。なお、ここで言う発光面とは、実質的に発光パネル２１からの光を出射するモジュールケース２２の開口面２２ａの大きさを指す。最小の大きさの光源部２は正方矩形状であり、長尺形状の光源部２は、その長手方向の長さが、正方形状の光源部２の一片辺の整数倍とされる。また、ベース部３は、これらを保持できるように、その長手方向の長さが、正方形状の光源部２の一片辺の整数倍とされる。
【００２３】
図３に示すように、ベース部３は、正方矩形状の光源部２ａと、長手方向の長さが光源部２ａの２倍の長さの光源部２ｂ、光源部２ａの４倍の光源部２ｃといった、異なる大きさの複数の光源部２を同時に保持することができる。ここでは、図示したように、光源部２ａ、２ｂ、２ｃ各々の長手方向に沿う辺の長さは、夫々７５ｍｍ、１５０ｍｍ、３００ｍｍとされる。また、光源部２ａ、２ｂ、２ｃの各々は、ベース部３に装着されたときにベース部３の短手方向に沿う辺（以下、短手方向に沿う辺という）の長さがすべて７５ｍｍとされる。また、ベース部３の長手方向の長さは、例えば、光源部２ａ、２ｂ、２ｃの長手方向に沿う辺の長さの合計と等しい５２５ｍｍ（７５ｍｍ＋１５０ｍｍ＋３００ｍｍ）に設定される。これにより、光源部２ａ、２ｂ、２ｃを、ベース部３の長手方向全長に亘って隙間なく配置することができる。一方、ベース部３の短手方向の長さは、光源部２ａ、２ｂ、２ｃの短手方向に沿う辺の長さと等しい７５ｍｍに設定される。なお、複数の光源部２が、隙間を空けて配置されてもよく、ベース部３の任意の位置に配置することができる。また、複数の光源部２を一定の間隔を空けて配置した場合、この空いた間隔に、光源部２と同形状で発光パネル２１を内装しないダミーケース（不図示）を取り付けることもできる。
【００２４】
図４に示すように、照明装置１は、ベース部３の給電部３２を介して光源部２を点灯駆動するための点灯回路に接続されている。点灯回路は、例えば、商用電源ＡＣからの交流電流を直流電流に変換するＡＣ／ＤＣコンバータと、直流電流電圧を所望の電圧に変圧するＤＣ／ＤＣコンバータと、変圧された直流電流の照明装置１への供給を制御するドライバと、を備える。これらＡＣ／ＤＣコンバータ、ＤＣ／ＤＣコンバータ及びドライバは、照明装置１が取り付けられる天井や壁に埋設される。ドライバから供給された直流電流は、給電部３２を介して各光源部２ｃ、２ｂ、２ａに通電される。
【００２５】
図５（ａ）（ｂ）に示すように、可動保持部４は、可動爪２４の爪部２４ａを保持し、かつスライド移動したときに上記保持を解除するスライド部４１と、スライド部４１を保持枠３４に沿ってスライドさせるレール部４２と、を有する。スライド部４１は、可動爪２４がベース部３の平面部３１と直交する方向に動かないように規制する第１規制部４１ａと、可動爪２４がベース部３の保持枠３４と平行な方向に動かないように規制する第２規制部４１ｂと、を有する。レール部４２は、保持枠３４の切り欠きに沿って配される長尺状の本体４２ａと、スライド部４１と対向する面に設けられた溝部４２ｂと、溝部４２ｂ内に配されたバネ４２ｃと、を有する。また、スライド部４１は、レール部４２の溝部４２ｂに嵌め入れられて、スライド部４１をレール部４２に沿ってスライド可能とする突起部４１ｃを有する。スライド部４１は、外部からの力が加えられていないとき、所定位置に配されるように、溝部４２ｂ内のバネ４２ｃによって付勢される。また、スライド部４１は、後述する工具を差し込むためのスリット４１ｄを有する。
【００２６】
第１規制部４１ａは、第２規制部４１ｂよりもスライド方向の幅が小さく、かつスライド方向に直交する長さが長くなるように形成される。第２規制部４１ｂは、可動爪２４と対向する面が上面視Ｍ字状となるように形成され、Ｍ字形状の中央の凹みに可動爪２４の爪部２４ａが嵌合する。第２規制部４１ｂは、上記凹みの両端が凸部となり、更にその外側が可動爪２４と離間する方向に傾斜している。
【００２７】
このように構成された照明装置１において、光源部２をベース部３から取り外すときの、可動保持部４と可動爪２４との動作について、図６乃至図８を参照して説明する。図６（ａ）及び図７（ａ）に示すように、光源部２がベース部３に保持されているとき、可動爪２４の爪部２４ａが、第２規制部４１ｂの凹部に嵌合しており、また、第１規制部４１ａが可動爪２４の移動を規制している。ここで、まず、ユーザはスライド部４１のスリット４１ｄに工具Ｔを指し込み、図６（ｂ）に示すように、スライド部４１をスライドさせる。このとき、爪部２４ａは、第２規制部４１ｂの傾斜に押されて、バネ２４ｄの付勢に反する方向に移動する。そして、ユーザは、図６（ｃ）に示すように、少なくとも第２規制部４１ｂの凸部が爪部２４ａを乗り越えるまで、工具Ｔを用いてスライド部４１を移動させる。
【００２８】
第２規制部４１ｂの凸部が爪部２４ａを乗り越えると、図６（ｄ）に示すように、第２規制部４１ｂの両端の傾斜部が、可動爪２４のバネ２４ｄの付勢力を受けて、スライド部４１が自動的に移動する。ここで、モジュールケース２２の側面２２ａの凹部２２ｂ（図１（ａ）参照）は、第２規制部４１ｂの凸部が爪部２４ａを乗り越えるのに必要な距離だけ、工具Ｔを移動させることができる幅を有していればよい。そして、図６（ｅ）及び図７（ｂ）に示すように、スライド部４１は、第１規制部４１ａが爪部２４ａに被らない位置まで移動する。これにより、可動爪２４と可動保持部４との間における保持が解除され、図８に示すように、光源部２をベース部３から取り外すことができる。すなわち、本実施形態の照明装置１によれば、可動保持部４をスライド移動させることで、可動爪２４と可動保持部４との間における保持が解除され、光源部２をベース部３から容易に取り外すことができる。
【００２９】
なお、レール部４２のバネ４２ｃ（図５（ａ）参照）の付勢力は、可動爪２４のバネ２４ｄの付勢力よりも弱く、図６（ｄ）（ｅ）で示したスライド部４１の移動を妨げない。一方、光源部２がベース部３から取り外されたときには、スライド部４１は、バネ２４ｄの付勢力を受けて、光源部２が取り付けられたときに爪部２４ａと係合する位置（図１,
図６（ａ）の位置）に移動するので、これを手動で動かす必要はない。
【００３０】
次に、本発明の第２の実施形態に係る照明装置について、図９及び図１０を参照して説明する。図９（ａ）（ｂ）に示すように、本実施形態に係る照明装置１では、光源部２において可動爪２４が複数個設けられ、また、ベース部３において可動保持部４が可動爪２４の各々に対向するように複数個設けられ、また、可動保持部４の各々が連動する構成とされている。本例では、長尺状の光源部２が用いられる構成を示す。光源部２は、その長手方向に沿って配された２個の可動爪２４と、可動爪２４と対峙する他縁部に配された２個の係合爪２３と、を有する。爪部２４ａの保持枠３４側の端部は、その厚みが薄くなる形状に形成されている。また、給電端子２５の電極刃が光源部２の長手方向と直交する向きに配されており、ベース部３側の給電部３２には給電端子２５が差し込まれるスリットが形成されている。なお、図９（ｂ）は、可動爪２４と可動保持部４との間における保持が解除された状態で、光源部２がベース部３に載せられている構成を示す。
【００３１】
本実施形態では、ベース部３の保持枠３３，３４の長手方向に直交する断面が上記第１の実施形態の保持枠３３と同様に形成されている。なお、一方の保持枠３４には、光源部２が取り付けられたときに、可動爪２４と対向する箇所に切り込み部３４ａが形成される。可動保持部４は、図９（ｃ）に示すように、可動爪２４の動きを規制する規制部４３と、保持枠３４の上端に沿ってスライドする上端部４４と、保持枠３４の内側面に沿って配されて規制部４３と上端部４４とを繋ぐ湾曲部４５と、を備える。また、可動保持部４は、保持枠３４の長手方向に沿って配された隣り合う可動保持部４同士を連結する連結部４６を有する。
【００３２】
図１０は、本実施形態の可動保持部４の動作を示す。なお、同図では、可動保持部４にハッチングをかけて表示している。図１０（ａ）に示すように、可動保持部４の規制部４３が切り込み部３４ａに配されているとき、この規制部４３が可動爪２４の動きを規制するので、光源部２はベース部３に保持される。光源部２を取り外す際には、ユーザが上端部４４をスライドさせれば、規制部４３が切り込み部３４ａから外れ、切り込み部３４ａから可動爪２４（爪部２４ａ）が露出する。これにより、可動爪２４と可動保持部４との間における保持が解除され、光源部２をベース部３から容易に取り外すことができる。また、各可動保持部４は、連結部４６により連結されているので、一の可動保持部４をスライドさせれば、他の可動保持部４も共にスライドする。そのため、複数の可動爪２４と可動保持部４との間における保持を一斉に解除することができ、図示したような複数の可動爪２４を有する長尺形状の光源部２をベース部３から容易に取り外すことができる。
【００３３】
次に、本発明の第３の実施形態に係る照明装置について、図１１乃至図１４を参照して説明する。図１１に示すように、本実施形態に係る照明装置１は、可動保持部４は、保持枠３４と直交する方向にスライド可動に設けられている。保持枠３３，３４は、ベース部３の内方向に凸な樋形状とされ、一方の保持枠３４には、光源部２が取り付けられたときに、可動爪２４と対向する箇所に切り込み部３４ａが形成される。可動保持部４は、切り込み部３４ａの両端に設けられた一対の円弧枠４７と、保持枠３４と同様の樋形状に形成されて円弧枠４７に沿ってスライドする規制部４８と、を有する。
【００３４】
図１２（ａ）に示すように、規制部４８には、工具Ｔを受ける受け部４８ａが設けられている。図１２（ｂ）（ｃ）に示すように、ユーザが工具Ｔで受け部４８ａを押し込むと、規制部４８が円弧枠４７に沿ってスライドすると共に、可動爪２４の爪部２４ａが切り込み部３４ａから露出する。これにより、可動爪２４と可動保持部４との間における保持が解除され、光源部２をベース部３から容易に取り外すことができる。
【００３５】
また、図１３（ａ）（ｂ）に示すように、本実施形態の可動保持部４は、光源部２が取り外されたときに、規制部４８を元の状態に戻す付勢機構４９を有する。この付勢機構４９は、規制部４８のベース部３内側の面に外側に夫々延出した一対の突起４９ａと、規制部４８のスライド時に突起４９ａと夫々接触する傾斜面を有する一対のスライド片４９ｂと、一対のスライド片４９ｂを近づける方向に付勢する付勢部４９ｃと、を備える。規制部４８が押し下げられると、各突起４９ａにより一対のスライド片４９ｂが離れる方向に移動する。一方、規制部４８を押し下げる力が作用しないとき、一対のスライド片４９ｂが付勢部４９ｃの付勢力により互いに近づく方向に移動し、突起４９ａを介して規制部４８を押し上げるので、これを手動で動かす必要はない。
【００３６】
また、付勢機構４９は、上記構成に換えて、例えば、図１３（ｃ）（ｄ）に示すように、突起４９ａが、Ｖ字形状に屈曲した板バネ４９ｄを押し下げる、又は板バネ４９ｄによって押し上げられることにより、上記と同様の作用が成されるようにしてもよい。
【００３７】
また、本実施形態では、係合爪２３が係合する保持枠３３も、可動保持部４が設けられる保持枠３４と同様に、その長手方向に直交する断面が円弧状となる樋形状に形成されている。従って、図１４（ａ）乃至（ｃ）に示すように、複数のベース部３、３’が併設された場合、一方の規制部４８が工具Ｔで押し下げられたとき、規制部４８の可動側端部は、隣り合うベース部３’の保持枠３３の外側面に沿ってスライドする。従って、規制部４８は、隣り合うベース部３’によって妨げられることなく、スムーズにスライドすることができる。
【００３８】
なお、本発明に係る照明装置は、上記実施形態及びその変形例に限定されず、種々の変形が可能である。例えば、可動爪２４は、可動保持部４のみ、又は可動保持部４が設けられた保持枠３４とのみ係合する。また、係合爪２３は、もう一方の保持枠３３とのみ係合し、可動保持部４が設けられた保持枠３４とは係合しないように構成されていることが好ましい。例えば、上記第１の実施形態においては（図１（ａ）参照）、可動爪２４の爪部２４ａが先細りとなっている。これに対して、係合爪２３は、その先端が幅広になっており、可動保持部４のスライド部４１の凹部には嵌合せず、また、保持枠３４には、係合爪２３が嵌合する凹部が形成されていない。また、例えば、上記第２の実施形態においては（図９（ａ）（ｃ）参照）、可動爪２４の爪部２４ａの先端の厚みが、係合爪２３の先端よりも薄くなっている。また、可動保持部４の湾曲部４５によって保持枠３４の凹部が狭くなっていて、係合爪２３は保持枠３４の凹部には嵌合できない。また、例えば、上記第３の実施形態においては（図１１参照）、係合爪２３と可動爪２４との幅が夫々異なっている。そのため、係合爪２３を保持枠３４に取り付けようとすると、所定間隔で設けられた円弧枠４７に妨げられ、係合爪２３は保持枠３４の凹部には嵌合できない。これらの構成により、ユーザが光源部２をベース部３取り付ける際に、誤った方向に取り付けることを防止することができる。
【符号の説明】
【００３９】
１    照明装置
２    光源部
２Ａ    装着面
２１    発光パネル
２２    モジュールケース
２３    係合爪
２４    可動爪
３    ベース部
３２    給電部
３３    保持枠
３４    保持枠
４    可動保持部
【図１】
2014110134.tif 000003
【図２】
2014110134.tif 000004
【図３】
2014110134.tif 000005
【図４】
2014110134.tif 000006
【図５】
2014110134.tif 000007
【図６】
2014110134.tif 000008
【図７】
2014110134.tif 000009
【図８】
2014110134.tif 000010
【図９】
2014110134.tif 000011
【図１０】
2014110134.tif 000012
【図１１】
2014110134.tif 000013
【図１２】
2014110134.tif 000014
【図１３】
2014110134.tif 000015
【図１４】
2014110134.tif 000016